(57)【要約】【課題】  首輪を必要に応じてペットに着脱自在にすることで、必要時以外はペットに首輪を装着せず、首輪の汚れを少なくして長持ちさせることができると共に、ペットの窮屈感によるストレスも軽減できるようなペット用首輪を提供する。【解決手段】  ベルト１１の両端部１２ａ，１２ｂにそれぞれ設けられた磁石１３ａ，１３ｂが互に磁力にて磁着し、これら磁石１３ａ，１３ｂに隣接して配置された嵌合部材１５ａ，１５ｂが、磁力が作用する方向から係合してベルト１１の長手方向の力に対して係合を保持し、かつ磁石１３ａ，１３ｂを磁力に抗して互に引離すことにより係合が外れるので、首輪１のペットへの着脱が容易にできる。従って、引き紐２０を首輪１に連結したまま、首輪１を必要に応じてペットに着脱できるので、必要時以外はペットに首輪１を装着せずに済む。【選択図】      図１
0003115550.tif 000002
【実用新案登録請求の範囲】
【請求項１】
紐体の端部同士をループ状に係止させ又は該係止を解除し得る係止手段を有するペット用首輪において、
前記係止手段は、前記紐体の両端部にそれぞれ設けられ、互に磁力にて磁着し得る磁着部と、これら磁着部に隣接して配置され、前記磁力が作用する方向から係合して前記紐体の長手方向の力に対して係合を保持する機械的係合部と、を有し、
前記機械的係合部は、前記磁着部を前記磁力に抗して互に引離すことにより前記係合が外れる、
ことを特徴とするペット用首輪。
【請求項２】
前記機械的係合部は、ピン状の突起と、該突起を嵌合し得る孔と、を有し、
前記突起及び孔のいずれか一方が、一方の前記磁着部の紐体側に配置され、前記突起及び孔のいずれか他方が、他方の前記磁着部の紐体側と長手方向反対側に配置されてなる、
ことを特徴とする請求項１に記載のペット用首輪。
【請求項３】
前記首輪に係脱自在に連結し得る握持用紐を備え、
前記首輪又は前記握持用紐に対して摺動自在に装着し得る装飾部を備えてなる、
ことを特徴とする請求項１又は２に記載のペット用首輪。
【請求項４】
前記首輪は、前記紐体の長さを調節し得る長さ調節部を有し、
前記握持用紐の一端に、該一端をループ状に固定して把手とする輪状金具が固着されてなる、
ことを特徴とする請求項１ないし３のいずれかに記載のペット用首輪。
【考案の詳細な説明】
【技術分野】
【０００１】
本考案は、ペット用首輪に係り、ペットの首への着脱を容易にしたペット用首輪に関する。
【背景技術】
【０００２】
一般に、犬等のペットに使用する首輪及び握持用紐は、それぞれが別個の製品として存在し、販売されている。首輪は、ペットの首に殆ど装着したままにされるのが普通であり、握持用紐は、必要に応じて首輪に連結される。
【０００３】
ところで、首輪と握持用紐とを連結する場合に、まずペットを静止させて、一方の手で、首輪に着けているリング等の挿通部を押さえ、他方の手で、握持用紐に着いているフック等の係留部を把持し、それら挿通部と係留部とを互に連結させる犬用ワンタッチ連結具が知られている（例えば、特許文献１参照）。
【０００４】
また、首輪としてペットの首に巻回装着されているものには、ベルト状の本体及び該本体の一方端にピンを有する止め具が設けられ、他方端には止め具のピンの先端が挿通する孔が列設されているものが知られている（例えば、特許文献２参照）。
【０００５】
【特許文献１】特開２００５−３４１２３号公報
【特許文献２】特開平１０−４２７３８号公報
【考案の開示】
【考案が解決しようとする課題】
【０００６】
しかしながら、上記特許文献１に記載の犬用ワンタッチ連結具にあっては、首輪と握持用紐が、連結する際に、まずペットを静止させて一方の手で首輪に付いているリング等の挿通部を押さえ、他方の手で握持用紐に着いているフック等の係留部を持ち、それぞれを連結させるという煩雑な作業を余儀なくされるため、必要以上の時間を要してしまう。また、装飾性を有するものは少なく、首輪を用いてペットに華美な格好をさせたりする楽しみが極めて少なかった。
【０００７】
そして、上記特許文献２に記載されるような首輪では、常時首輪がペットの首に装着されているので、汚れて不潔感を伴ったり、金属部分等に錆が発生するなどで長持ちしにくくなったり、首輪を外す際は孔が列設させている方のベルトの先端を引張りながらピンを外すので、窮屈感でペットにストレスを与えたりする虞があった。
【０００８】
近時、ペット用の犬は、家屋内で飼う小型犬が主流となっているが、屋内犬、特に長毛犬種では、屋内にいる場合は、首輪を外して飼うことが普通となっており、上記のような首輪では、散歩等の場合、首輪の取付け、取外しが面倒である。
【０００９】
そこで本考案は、首輪におけるペットへの着脱を片手・ワンタッチで極めて容易にし、かつ、ペットに装着されている間は係合を固く保持することで、例えペット等の動物が激しく動いても外れにくいものでありながら、首輪をペットに装着したまま、握持用紐を必要に応じて首輪に連結するのではなく、握持用紐を首輪に連結したまま、首輪を必要に応じてペットに着脱自在にすることが可能となり、必要時以外はペットに首輪を装着せずに済み、首輪の汚れを少なくして長持ちさせることができると共に、ペットの窮屈感によるストレスも軽減できるように構成し、もって上述した課題を解決するような首輪を提供することを目的とする。
【課題を解決するための手段】
【００１０】
請求項１に係る本考案は（例えば図１ないし図３参照）、紐体（１１）の端部（１２ａ，１２ｂ）同士をループ状に係止させ又は該係止を解除し得る係止手段（１４ａ，１４ｂ）を有するペット用首輪（１）において、
前記係止手段は、前記紐体（１１）の両端部（１２ａ，１２ｂ）にそれぞれ設けられ、互に磁力にて磁着し得る磁着部（１３ａ，１３ｂ）と、これら磁着部（１３ａ，１３ｂ）に隣接して配置され、前記磁力が作用する方向から係合して前記紐体（１１）の長手方向の力に対して係合を保持する機械的係合部（１５ａ，１５ｂ）と、を有し、
前記機械的係合部（１５ａ，１５ｂ）は、前記磁着部（１３ａ，１３ｂ）を前記磁力に抗して互に引離すことにより前記係合が外れる、
ことを特徴とするペット用首輪（１）にある。
【００１１】
なお、本考案にあっては、ペットの首に取り付ける首輪のみのものも、また該首輪に握持用紐を連結したものも、ペット用首輪の概念に含む。
【００１２】
請求項２に係る本考案は（例えば図１ないし及び図３参照）、前記機械的係合部は、ピン状の突起（１５ａ）と、該突起（１５ａ）を嵌合し得る孔（１５ｂ）と、を有し、
前記突起（１５ａ）及び孔（１５ｂ）のいずれか一方が、一方の前記磁着部（１３ａ，１３ｂ）の紐体（１１）側に配置され、前記突起（１５ａ）及び孔（１５ｂ）のいずれか他方が、他方の前記磁着部（１３ａ，１３ｂ）の紐体（１１）側と長手方向反対側に配置されてなる、
ことを特徴とする請求項１に記載のペット用首輪（１）にある。
【００１３】
請求項３に係る本考案は（例えば図１ないし図４参照）、前記首輪（１）に係脱自在に連結し得る握持用紐（２０）を備え、
前記首輪（１）又は前記握持用紐（２０）に対して摺動自在に装着し得る装飾部（３０）を備えてなる、
ことを特徴とする請求項１又は２に記載のペット用首輪（１）にある。
【００１４】
請求項４に係る本考案は（例えば図１ないし図４参照）、前記首輪（１）は、前記紐体（１１）の長さを調節し得る長さ調節部（１６）を有し、
前記握持用紐（２０）の一端（２３ｂ）には、該一端（２３ｂ）をループ状に固定して把手とする輪状金具（２１）が固着されてなる、
ことを特徴とする請求項１ないし３のいずれかに記載のペット用首輪（１）にある。
【００１５】
なお、上記カッコ内の符号は、図面と対照するためのものであるが、これは、考案の理解を容易にするための便宜的なものであり、実用新案登録請求の範囲の記載に何等影響を及ぼすものではない。
【考案の効果】
【００１６】
請求項１に係る本考案によると、紐体の両端部の磁着部が互に磁力にて磁着し、機械的係合部が、磁着部の磁力が作用する方向から係合して紐体の長手方向の力に対して容易に係合を保持し、磁着部を磁力に抗して互に引離すことにより容易に係合が外れるので、首輪をペットに装着したまま、握持用紐を必要に応じて首輪に連結しなくとも、握持用紐を首輪に連結したまま、首輪を必要に応じてペットに着脱が容易にできる。これにより、必要時以外はペットに首輪を装着せずに済み、首輪の汚れを少なくして長持ちさせることができると共に、ペットの窮屈感によるストレスも軽減できる。
【００１７】
請求項２に係る本考案によると、機械的係合部のピン状の突起及び該突起を嵌合し得る孔のいずれか一方が、一方の磁着部の紐体側に配置され、突起及び孔のいずれか他方が、他方の前記磁着部の紐体側と長手方向反対側に配置され、該突起と孔は、互に磁力にて磁着し、磁力が作用する方向から係合して紐体の長手方向の力に対して係合を保持するので、一度ペットに首輪を装着するとペットが激しく動きまわっても自然には外れにくい。また、磁着部を磁力に抗して互に引離すことにより係合が外れるので、磁着部に指一本通すだけで容易に首輪を外すことができる。
【００１８】
請求項３に係る本考案によると、握持用紐が首輪に係脱自在なので、必要時に応じて首輪に連結することができる。また、装飾部が首輪又は握持用紐に対して摺動自在に装着し、ユーザの好みに合わせた宝飾品等をペットにも装着させることができるので、首輪や握持用紐をアクセサリーとして、ペットに華美な格好をさせることで、ユーザに喜悦感を与えることができる。
【００１９】
請求項４に係る本考案によると、長さ調節部が首輪の長さを好みに合わせて調節できるので、どのような大きさのペットにも対応できる。また、握持用紐の一端に固着される輪状金具が、該一端をループ状に固定して把手とするので、紐一本で握持用紐と把手とを形成することができ、収納がし易く、ユーザに廉価な握持用紐及び把手を提供できる。
【考案を実施するための最良の形態】
【００２０】
以下、本考案を実施するための最良の形態について、図面を用いて詳細に説明する。図１は本考案に係る実施の形態におけるペット用首輪を示す斜視図である。また、図２は本実施形態におけるペット用首輪を示す図であり、同図（ａ）は正面図、同図（ｂ）は側面図、同図（ｃ）は背面図である。図３は本実施形態における引き紐を連結した状態のペット用首輪を示す斜視図、図４は本実施形態における引き紐を示す正面図である。
【００２１】
図１及び図２に示すように、本考案に係るペット用首輪１は、長さ調節自在な一本のベルト（紐体）１１と、該ベルト１１の両端部１２ａ，１２ｂに設けられた留め金（係止手段）１４ａ，１４ｂとを有しており、必要時に留め金１４ａ，１４ｂを係止させて、ベルト１１をループ状に形成するように構成されている。
【００２２】
そして、両留め金１４ａ，１４ｂは、長方形の板状部材からなり、その平坦部の一側面（係合面）１８ａ，１８ｂには、それぞれ異なる磁極が表面側となるように磁石１３ａ，１３ｂが埋込まれて、磁着部を構成している。また、両留め金の上記係合面１８ａ，１８ｂには、上記磁石１３ａ，１３ｂに隣接して、互に機械的に係合することにより、長手方向に対して係合から保持する機械的係合手段を構成する嵌合部材１５ａ，１５ｂが配置されている。
【００２３】
これら留め金１４ａ，１４ｂは、ベルト１１がループ状に形成された時、磁石１３ａ，１３ｂが互に磁力にて磁着し、一方の留め金１４ｂがループの内側に配置され、他方の留め金１４ａがループの外側に配置され、重なり合う状態で係止するように構成されている。
【００２４】
また、嵌合部材１５ａ，１５ｂは、互に嵌合するピン状の突起１５ａと孔１５ｂであり、突起１５ａは、係合面１８ａの磁石１３ａより先端側に配置され、孔１５ｂは、係合面１８ｂの磁石１３ｂよりベルト１１側に配置されている。
【００２５】
これら嵌合部材１５ａ，１５ｂは、ベルト１１がループ状に形成された時、磁石１３ａ，１３ｂの磁力が作用する方向から、突起１５ａが孔１５ｂに嵌合して、ベルト１１の長手方向の力に対して係合を保持する。従って、磁石１３ａ，１３ｂは、留め金１４ａ，１４ｂに対してループの内側から鉛直方向（矢印Ｗ方向）の力を加えると、嵌合部材１５ａ，１５ｂの係合が外れると共に、磁力に反発して係止が外れる構成になっている。
【００２６】
なお、本実施の形態では、一方の留め金１４ｂに孔１５ｂが、他方の留め金１４ａにはピン状の突起１５ａが形成されているが、一方の留め金１４ｂに突起１５ａが、他方の留め金１４ａには孔１５ｂが形成されても同様の作用・効果を奏する。
【００２７】
さらに、ベルト１１の一方の最先端部１１ｂには、「コキ」と称される長さ調節部１６が固着されている。この長さ調節部１６は、矩形状の外枠の左右の対向する２辺間に中ピン（図示せず）を架設して、外枠の内側のベルト通し穴（図示せず）を２つに分けた構造になっている。ベルト１１は中ピンに巻き掛けするようにして外枠内の２つのベルト通し穴に摺動自在に挿通している。これにより、ベルト１１に対してその長手方向へ長さ調節部１６を移動させることによりベルト１１を伸縮することが可能になっている。
【００２８】
そして、図３に示すように、本ペット用首輪１は、引き紐（握持用紐）２０が係脱自在に連結可能な連結部材１７ａ，１７ｂを備えている。該連結部材１７ａ，１７ｂは、引き紐２０のフック２２が掛着できるように環状に形成されている。
【００２９】
ベルト１１は一端部１２ｂを内側へ折り返して、その折返部位に連結部材１７ｂを取り付けている。更に、ベルト１１の他端部１２ａもまた、最先端部１１ａを内側に折り返して、その折返部位に連結部材１７ａを取り付けて固定している。これらの連結部材１７ａ，１７ｂをベルト１１の本体に挿通させず、両端部１２ａ，１２ｂに固定することで、ペットが激しく動き回っても連結部材１７ａ，１７ｂは移動せずに、引き紐２０を連結し易い配置になっている。
【００３０】
一方、図４に示すように、引き紐２０は、一本のベルト状の長紐から構成されている。引き紐２０の一端２３ｂには、該一端２３ｂをループ状に固定して把手とするリング（輪状金具）２１が固着されており、他端２３ａにはフック２２が固着されている。リング２１より長手方向の紐の一部をリング２１に通し、ループを形成することで把手の役目を果たすことができる。なお、本実施の形態では、該リング２１に金具を用いているが、これに限らず、プラスチック製のものなど輪状のものであれば用いることができる。
【００３１】
さらに、ベルト１１及び引き紐２０は、それぞれ装飾部３０，３１を有している。該装飾部３０，３１は、ベルト１１及び引き紐２０に対して摺動自在に装着されるもので、ダイヤモンド等の宝飾品が固着されている。この構成により、該ペット用首輪１をアクセサリーとして用いることができ、ユーザは好みの宝飾品が固着された各装飾部３０，３１を、ベルト１１や引き紐２０の好みの場所に配置することができる。
【００３２】
すなわち、本ペット用首輪１をペットに装着する際は、まず、引き紐２０のフック２２をベルト１１の連結部材１７ａ（又は１７ｂ）に掛着させてから、ベルト１１をペットの首に巻回し、留め金１４ａ，１４ｂにて係止させる。そして、ペットを散歩に連れて行く際は、リング２１より長手方向の引き紐２０の一部をリング２１に通して把手を形成し、形成された把手に手を通して、引き紐２０を引っ張りながらペットを連れて歩く。
【００３３】
本ペット用首輪１を一度ペットに装着すると、留め金１４ａ，１４ｂの係止を外さない限り、ペットが激しく動きまわっても、嵌合部材１５ａ，１５ｂがベルト１１の長手方向の力に対して係合を保持するので、自然には外れにくい。なお、フック２２を掛着しない方の連結部材１７ｂ（又は１７ａ）は、例えば携帯電話やキーホルダー等を掛着させたりして、ユーザの好みに合わせたオリジナルの首輪を形成することもできる。
【００３４】
本ペット用首輪１をペットに装着する必要がない場合は、ペットと留め金１４ａ，１４ｂの間にユーザの指を挟み、内側から外側に向けて（矢印Ｗ方向）力を入れると簡単に係合が外れる。形成された引き紐２０の把手は、一本状の長紐に戻すと収納スペースを取らず、持ち運びにも便利になる。
【００３５】
以上説明した本ペット用首輪１によると、ベルト１１の両端部１２ａ，１２ｂにそれぞれ設けられた磁石１３ａ，１３ｂが互に磁力にて磁着し、これら磁石１３ａ，１３ｂに隣接して配置された嵌合部材１５ａ，１５ｂが、磁力が作用する方向から係合してベルト１１の長手方向の力に対して係合を保持するので、一度ペットに本ペット用首輪１を装着すると、ペットが激しく動きまわっても自然には外れにくく、長さ調節部１６がベルト１１の長さを好みに合わせて調節できるので、どのような大きさのペットにも対応できる。
【００３６】
また、磁石１３ａ，１３ｂを磁力に抗して互に引離すことにより、嵌合部材１５ａ，１５ｂの係合も簡単に外れるので、留め金１４ａ，１４ｂに指一本通すだけで本ペット用首輪１を外すことができる。従って、ベルト１１をペットに装着したまま、引き紐２０を必要に応じてベルト１１に連結しなくとも、引き紐２０をベルト１１に連結したまま、ベルト１１を必要に応じてペットに着脱が容易にでき、必要時以外はペットに本ペット用首輪１を装着せずに済むので、汚れを少なくして長持ちさせることができると共に、ペットの窮屈感によるストレスも軽減できる。更に、ペットを静止させて一方の手で連結部材１７ａ（又は１７ｂ）を押さえ、他方の手でフック２２を持ち、それぞれを連結させるという煩雑な作業を省くことができる。
【００３７】
なお、本実施の形態では、ベルト１１に牛革製の柔らかい素材を用いることで、ペットの窮屈感によるストレスをより軽減すると共に、磁石１３ａ，１３ｂの作用によりペットの装着部位の凝りや痛みを和らげる効果も期待できる。
【００３８】
さらに、宝飾品等が固着された装飾部３０，３１が、ベルト１１又は引き紐２０に対して摺動自在に装着し得るので、本ペット用首輪１をペット用アクセサリーとして、ユーザの好みでペットに華美な格好をさせることで、ユーザに喜悦感を与えることができる。
【００３９】
そして、引き紐２０がペット用首輪１に係脱自在、かつ、引き紐２０の一端２３ｂに固着されるリング２１が、該一端２３ｂをループ状に固定して把手とするので、長紐一本で引き紐２０及び把手を形成することができ、ユーザに廉価な首輪を提供できると共に、必要時に応じて首輪に連結することができるので、収納・持ち運びにも便利な首輪を提供できる。
【００４０】
以上、本考案をその好適な実施の形態に基づいて説明したが、本考案のペット用首輪は、上記実施の形態の構成にのみ限定されるものではなく、上記実施の形態の構成から種々の修正及び変更を施したものに用いられるものも、本考案の請求の範囲に含まれる。
【図面の簡単な説明】
【００４１】
【図１】本考案に係る実施の形態におけるペット用首輪を示す斜視図である。
【図２】本実施形態におけるペット用首輪を示す図であり、同図（ａ）は正面図、同図（ｂ）は側面図、同図（ｃ）は背面図である。
【図３】本実施形態における引き紐を連結した状態のペット用首輪を示す斜視図である。
【図４】本実施形態における引き紐を示す正面図である。
【符号の説明】
【００４２】
１  ：ペット用首輪（首輪）
１１  ：紐体（ベルト）
１２ａ：紐体の端部
１２ｂ：紐体の端部
１３ａ：磁着部（磁石）
１３ｂ：磁着部（磁石）
１４ａ：係止手段（留め金）
１４ｂ：係止手段（留め金）
１５ａ：ピン状の突起（機械的係合部）
１５ｂ：孔（機械的係合部）
１６  ：長さ調節部
２０  ：握持用紐（引き紐）
２１  ：輪状金具（リング）
２３ｂ：握持用紐の一端
３０  ：装飾部
３１  ：装飾部
【図１】
0003115550.tif 000003
【図２】
0003115550.tif 000004
【図３】
0003115550.tif 000005
【図４】
0003115550.tif 000006